(57)【要約】  筐体８と、筐体８の一外面９ａに配置される操作キー部材１０と、筐体８の内部の操作キー部材１０に対向する位置に配置される回路基板１１と、筐体８の内部の操作キー部材１０とは反対側で回路基板１１に対向する位置に配置されるバッテリー１２と、を備え、バッテリー１２は、回路基板１１に対向する位置に先端部１５ａが回路基板１１に当接して回路基板１１を支持する基板支持部１５を備える携帯端末装置である。
2007037405.tif 000002
【特許請求の範囲】
【請求項１】
筐体と、
前記筐体の一外面に配置される操作キー部材と、
前記筐体の内部の前記操作キー部材に対向する位置に配置される回路基板と、
前記筐体の内部の前記操作キー部材とは反対側で前記回路基板に対向する位置に配置されるバッテリーと、を備え、
前記バッテリーは、前記回路基板に対向する位置に先端部が前記回路基板に当接して前記回路基板を支持する基板支持部を備えることを特徴とする携帯端末装置。
【請求項２】
前記バッテリーが、バッテリーセルと、該バッテリーセルの各端子に電気的に接続されるバッテリー基板と、該バッテリー基板に電気的に接続される電気接続部とを備えるとともに、当該電気接続部の接続端が露出させた状態でこれらバッテリーセル、バッテリー基板、電気接続部が樹脂モールド部で一体成形されて構成され、
前記基板支持部は、前記樹脂モールド部と一体成形されている
ことを特徴とする請求項１記載の携帯端末装置。
【請求項３】
前記基板支持部は、前記樹脂モールド部と同じ樹脂部材により形成されている
ことを特徴とする請求項２記載の携帯端末装置。
【請求項４】
前記電気接続部の接続端は、前記バッテリーの側面に配置されている
ことを特徴とする請求項２記載の携帯端末装置。
【請求項５】
前記回路基板は、その前記バッテリーが配置される側の表面上に電子部品が実装される
ことを特徴とする請求項１記載の携帯端末装置。
【請求項６】
前記基板支持部は、その高さが前記回路基板の前記バッテリー側の表面上に実装される前記電子部品の高さと略等しく又はそれ以上に形成されている
ことを特徴とする請求項５記載の携帯端末装置。
【請求項７】
前記基板支持部は、前記回路基板側に開口部を有する箱型状に形成される
ことを特徴とする請求項１記載の携帯端末装置。
【請求項８】
前記基板支持部は、前記バッテリーの前記回路基板に対向する第１外面上に配設され、
前記バッテリーは、前記第１外面とは反対側の外面であって前記筐体の内面に対向する第２外面と前記筐体の内面との間に配設されるバッテリー支持部によって前記筐体に支持される
ことを特徴とする請求項１記載の携帯端末装置。
【請求項９】
前記バッテリー支持部は、前記バッテリーの前記筐体内面に対向する前記第２外面の外周部に配置されている
ことを特徴とする請求項８記載の携帯端末装置。
【請求項１０】
前記バッテリー支持部は、弾性変形可能に構成されている
ことを特徴とする請求項８記載の携帯端末装置。
【発明の詳細な説明】
【技術分野】
【０００１】
本発明は、バッテリーを備えた移動通信機などの携帯端末装置に関するものである。
【背景技術】
【０００２】
現状の携帯電話機は、バッテリーの充電量が不足した際にバッテリーを筐体から取り外し、予備のものと交換することができる構造になっている。【０００３】
図７は従来の携帯端末装置の一例を示しており、携帯電話機は、筐体を構成するリヤケース１と、該リヤケース１の背面側の凹部２に収納されるバッテリー３と、該バッテリー３を凹部２とは反対側から被覆し且つ前記リヤケース１に係合するリッド４とを備えている。【０００４】
この従来の携帯端末装置は、リヤケース１に嵌め合わされるフロントケースの内部空間と前記バッテリー３の収納空間を区分している凹部２の隔壁部が省かれることによって、筐体の厚みが減らせる構造となっている。
【発明の開示】
【発明が解決しようとする課題】
【０００５】
しかし、携帯電話機のリヤケース１の凹部２の隔壁部が省かれると、フロントケースに付帯する操作キー部材のリヤケース１側に配置される回路基板の裏面に、バッテリー３が向き合うことになり、当該バッテリー３を安定した状態で保持することができない。【０００６】
また、回路基板の裏面とバッテリー３との間に空隙があると、電話機使用者が操作キー部材を押下したときに回路基板が歪み、その繰り返しにより、回路基板で結線用のはんだの剥離や回路パターンの破壊が発生する可能性がある。【０００７】
本発明は上述した実情に鑑みてなしたもので、操作キー部材の押下に伴う回路基板の損傷を防ぎ且つ筐体の厚みを減らせる携帯端末装置を提供することを目的としている。
【課題を解決するための手段】
【０００８】
本発明は、携帯端末装置であって、筐体と、前記筐体の一外面に配置される操作キー部材と、前記筐体の内部の前記操作キー部材に対向する位置に配置される回路基板と、前記筐体の内部の前記操作キー部材とは反対側で前記回路基板に対向する位置に配置されるバッテリーと、を備え、前記バッテリーは、前記回路基板に対向する位置に先端部が前記回路基板に当接して前記回路基板を支持する基板支持部を備える。
【図面の簡単な説明】
【０００９】
【図１】本発明の実施形態である携帯端末装置の外観を示す図である。
【図２】本発明の第１の例において図１に示される筐体と支持部材の切断面を示す部分図である。
【図３】図２に示すバッテリーの斜視図である。
【図４】本発明の第２の例において筐体と支持部材の切断面を示す部分図である。
【図５】本発明の第３の例において筐体と支持部材の切断面を示す部分図である。
【図６】図５に示すバッテリーの斜視図である。
【図７】従来の携帯端末装置の一例を示す斜視図である。
【符号の説明】
【００１０】
５  電気接続部
８  筐体
１０  操作キー部材
１１  回路基板
１２  バッテリー
１３  電子部品
１４  樹脂モールド部
１５  リブ部
１６  バッテリー支持部
１７  バッテリー支持部
【発明を実施するための最良の形態】
【００１１】
以下、本発明の実施の形態を図面に基づき説明する。【００１２】
図１乃至図３は本発明の携帯端末装置の第１の例を示している。図１は、本発明の携帯端末装置としての携帯電話機１００の外観図を示しており、携帯電話機１００は、表示部１０１を有する表示部側筐体１０２と、テンキー１０３や選択キー１０４などの操作キー１０５を備えた操作部側筐体１０６とがヒンジ部１０７によって回動可能に連結されて構成されている。なお、本発明の携帯端末装置は、２つの筐体が連結される構成に限定されない。
操作部側筐体１０６を構成する筐体８は、フロントケース９とリヤケース１とで構成される。【００１３】
図２に示されるように、筐体８は、フロントケース９の外面（図２の下面）９ａに配置される操作キー１０５を有して筐体８内部のフロントケース９側に配置される操作キー部材１０と、該操作キー部材１０に対向して配置される回路基板１１と、筐体８内部のリヤケース１側に配置されて操作キー部材１０とは反対側で回路基板１１に対向して配設されるバッテリー１２とが内部に組み込んで構成される。【００１４】
回路基板１１のバッテリー１２側の表面上には、様々な形状の電子部品１３が実装されている。【００１５】
バッテリー１２は、矩形板状に形成されるバッテリーセル１２ａ、該バッテリーセル１２ａの側面に設けられた＋極と−極の各端子に電気的に接続されるバッテリー基板１２ｂ、該バッテリー基板１２ｂに電気的に接続される電気接続部５を備え、これらを電気接続部５の接続端５ａが露出するようにポリアミドなどを素材に用いた低圧成形により形成される樹脂モールド部１４により一体成形したものである。【００１６】
バッテリー基板１２ｂ、及び電気接続部５は、バッテリーセル１２ａの一側面（図３に示す手前側の面）に対向して配置され、電機接続部５の接続端５ａが、バッテリー１２の側面に配置され、この配置構成によりバッテリー１２自体の厚みを減らして筐体８の薄型化を図ることが可能となる。【００１７】
図２及び図３に示されるように、バッテリー１２の回路基板１１に対向する面（第１外面）には、先端部１５ａが回路基板１１に当接して当該回路基板１１を支持する基板支持部としてのリブ部１５が設けてある。【００１８】
リブ部１５は前記樹脂モールド部１４と同じ樹脂素材で同時に一体成形されており、双方の強度向上を達成しつつ、バッテリー１２をコンパクトにまとめることができる。【００１９】
リブ部１５は、前記電子部品１３のうちの最も厚みがある電子部品に対応して、その先端部１５ａが、直接バッテリー１２に当るように形成されている。すなわち、リブ部１５は、その高さが回路基板１１のバッテリー１２側の表面上に実装される電子部材１３の高さと略等しく又はそれ以上となるように形成されており、リブ部１５の平面形状は、電子部品１３との干渉を避けるように形成してある。【００２０】
これにより、回路基板１１とバッテリー１２を極限まで近付けることができ、また、電子部品１３がリブ部１５に嵌合するため、回路基板１１とバッテリー１２の位置決めが可能になる。【００２１】
更に、リブ部１５の一部の個所は、電子部品１３を取り囲むように回路基板１１側に開口部を有する箱型状に形成されており、リブ部１５とバッテリー１２の樹脂モールド部１４とで被覆される電子部品１３は、副次的にシールド効果を得ることなる。【００２２】
つまり、上述したように、バッテリー１２の対向面（第１外面であって、図３に示される上面）に回路基板１１を当接支持するリブ部１５を配置し、バッテリー１２のリブ部１５がない背面、即ちリブ部１５が配設される外面とは反対側の外面であってリヤケース１の内面に対向する背面（第２外面であって、図３に示される下面）をリヤケース１で支持する構成を採ることにより、操作キー部材１０が押下された場合に回路基板１１に応力が加わっても、リブ部１５によって支持されている回路基板１１の撓みが抑制され、回路基板１１の破損や変形を回避でき、また、操作感が悪化しないという効果が得られる。【００２３】
図４は本発明の携帯端末装置の第２の例を示しており、図中、図１乃至図３と同一の符号を付した部分は同一物を表わしている。【００２４】
この例では、リヤケース１は、その内面にバッテリー支持部１６が設けられている。このバッテリー支持部１６は、バッテリー１２のリブ部１５がない背面の外周部である周縁部分に当接する枠状に形成されている。【００２５】
バッテリー支持部１６はリヤケース１と同じ樹脂素材で同時に一体成形されており、双方の強度向上を達成しつつ、リヤケース１をコンパクトにまとめることができる。【００２６】
つまり、温度上昇によってバッテリー１２が筐体の厚さ方向に膨らんでも、バッテリー支持部１６で囲まれた空間によってバッテリー１２の変形が許容され、電子部品１３や回路基板１１に対して無用な力が働くことがない。また、バッテリー支持部１６を介してバッテリー１２がリヤケース１によって支持されることとなり、リブ部１５を介してバッテリー１２での回路基板１１の支持が効果的に行われる。【００２７】
図５及び図６は本発明の携帯端末装置の第３の例を示しており、図中、図１〜図４と同一の符号を付した部分は同一物を表わしている。【００２８】
この例では、バッテリー１２は、そのリブ部１５がない背面（図５に示される上面）に、その外周部である周縁部分に沿って枠状に延びるとともに、リヤケース１の内側面に当接されるバッテリー支持部１７を設けてある。【００２９】
バッテリー支持部１７は前記樹脂モールド部１４と同じ樹脂素材で同時に一体成形されており、双方の強度向上を達成しつつ、バッテリー１２をコンパクトにまとめることができる。【００３０】
なお、本発明の携帯端末装置は、上述した実施の形態のみに限定されるものではなく、本発明の要旨を逸脱しない範囲において変更を加え得ることは勿論である。
例えば、バッテリー支持部１６、１７は、バッテリー１２又はリヤケース１のいずれかに一体的に配設されているが、両者のそれぞれに配設されるように構成されても良い。また、バッテリー支持部１６、１７は、バッテリー１２やリヤケース１とは別部材によって構成され、バッテリー１２とリヤケース１との間に配設されてバッテリー１２を支持するように構成しても良い。また、バッテリー支持部１６、１７は、弾性変形可能に構成されて、弾性変形を伴いバッテリー１２を支持するようにしても良い。
また、バッテリー１２は、バッテリーセル、バッテリー基板、電気接続部を樹脂モールド部で一体形成される構成としたが、モールド成形されない構成のバッテリーであっても良い。また、バッテリー１２の回路基板１１に対向する面に設けられるリブ部１５は、樹脂モールド部１４と一体成形される構成としたが、樹脂モールド部１４などとは別部材で構成されて、回路基板１１に対向する面に設けられてもよい。
本出願は、2005年9月29日出願の日本特許出願（特願2005-284435）に基づくものであり、その内容はここに参照として取り込まれる。
【産業上の利用可能性】
【００３１】
本発明の携帯端末装置は、様々な携帯端末に適用できる。
【図１】
2007037405.tif 000003
【図２】
2007037405.tif 000004
【図３】
2007037405.tif 000005
【図４】
2007037405.tif 000006
【図５】
2007037405.tif 000007
【図６】
2007037405.tif 000008
【図７】
2007037405.tif 000009
【国際調査報告】
2007037405.tif 000010
2007037405.tif 000011
2007037405.tif 000012
2007037405.tif 000013